(57)【特許請求の範囲】
【請求項１】
階段踏み板の上面に化粧部材を取り付けることで段差部を有するように形成された段鼻部に取り付ける踏み板用保護材であって、
前記段差部を覆う平面覆い部および前記段鼻部の前方側面を覆う側面覆い部を有した段鼻本体と、該平面覆い部の上面に取り付けられるカバー部材とを有した構成とされ、
前記平面覆い部は、上面に凹所を有し、該凹所の後方に、前記化粧部材の前方側面と突き合わせるように配される後端部を有し、該後端部には上方に突出した凸部が形成されている一方、
前記カバー部材は、前記凹所に嵌合する嵌合部と、該嵌合部の後方に延び、最尾端に前記化粧部材側に向けて下り傾斜した軟質尾片部を有した尾端部とを有しており、
前記軟質尾片部が前記後端部を前記凸部と近接するように上方より覆い、前記軟質尾片部の開放端が前記化粧部材側に突出するようにして設置されることを特徴とする踏み板用保護材。
【請求項２】
請求項１において、
前記凸部は前記後端部の最後端に形成されている、踏み板用保護材。
【発明の詳細な説明】
【技術分野】
【０００１】
本発明は、階段踏み板の段鼻部に取り付ける踏み板用保護材に関する。
【背景技術】
【０００２】
この種の踏み板用保護材は、たとえば特許文献１に示すように、階段踏み板の段鼻部の前方側面および上面を覆う段鼻本体と、段鼻本体の上面に取り付けるカバー部材とを備えている。
【０００３】
特許文献１に記載された段鼻本体は、段鼻部の上面を覆う平面覆い部を、階段踏み板の上に取り付けられる化粧部材の前方側面に突き合わせるようにして取り付けられるようになっている。また、この段鼻本体の平面覆い部には上面の後端に切り欠き状の段落ち部が形成されている。そして、平面覆い部の後方には段落ち部の厚みよりも厚い化粧部材が取り付けられているため、段鼻本体を段鼻部に取り付けると段落ち部は前後に壁面を有した凹所となる。
【０００４】
カバー部材はこの凹所に嵌合するように取り付けられる。このカバー部材は、滑り止め材、クッション材、段鼻本体を踏み板へ固定するための固定具を隠すための覆い部材などとしての機能を有している。また、カバー部材の尾端部はその最尾端に尾片部（張出し覆い縁）が形成されており、その尾片部が段鼻本体と化粧部材との突き合わせ部を覆い隠すようになっている。
【先行技術文献】
【特許文献】
【０００５】
【特許文献１】特開２００２−２１２８０号公報
【発明の概要】
【発明が解決しようとする課題】
【０００６】
しかしながら、特許文献１のものでは、段鼻本体の凹所は化粧部材の前方側面で後壁面を構成してなる嵌合凹所であるため、段鼻本体と化粧部材との間に隙間ができていれば、カバー部材は凹所に対して隙間を生じた状態で配されることとなる。そのため、カバー部材は前後方向にがたつき、そのがたつきが破損の要因となるおそれもある。
【０００７】
本発明は、このような事情を考慮して提案されたもので、その目的は、カバー部材を階段踏み板の段鼻部にがたつきなく安定して取り付けることのできる踏み板用保護材を提供することにある。
【課題を解決するための手段】
【０００８】
上記目的を達成するために、本発明の踏み板用保護材は、階段踏み板の上面に化粧部材を取り付けることで段差部を有するように形成された段鼻部に取り付ける踏み板用保護材であって、段差部を覆う平面覆い部および段鼻部の前方側面を覆う側面覆い部を有した段鼻本体と、平面覆い部の上面に取り付けられるカバー部材とを有した構成とされ、平面覆い部は、上面に凹所を有し、凹所の後方に、化粧部材の前方側面と突き合わせるように配される後端部を有し、後端部には上方に突出した凸部が形成されている一方、カバー部材は、凹所に嵌合する嵌合部と、嵌合部の後方に延び、最尾端に化粧部材側に向けて下り傾斜した軟質尾片部を有した尾端部とを有しており、軟質尾片部が後端部を凸部と近接するように上方より覆い、軟質尾片部の開放端が化粧部材側に突出するようにして設置されることを特徴とする。
【発明の効果】
【０００９】
本発明の踏み板用保護材によれば、上述の構成となっているため、カバー部材を階段の段鼻部にがたつきなく安定して取り付けられ、カバー部材の軟質尾片部の破損を防止することができる。
【図面の簡単な説明】
【００１０】
【図１】本発明の一実施形態に係る踏み板用保護材の説明図である。（ａ）は、踏み板用保護材の分解縦断面図、（ｂ）は、踏み板用保護材の取付状態を示した要部拡大縦断面図である。
【図２】（ａ）は階段の概略縦断面図、（ｂ）は（ａ）のＸ部の要部概略断面斜視図である。
【発明を実施するための形態】
【００１１】
以下に、本発明の実施の形態に係る踏み板用保護材（以下、たんに保護材という）について、添付図面にもとづいて説明する。まず、本実施形態に係る保護材の基本概略構成について説明する。
【００１２】
この保護材１は、階段踏み板２の上面に化粧部材５を取り付けることで段差部４を有するように形成された段鼻部３に取り付ける踏み板用の保護材である（図１、２参照）。
【００１３】
この保護材１は、図１（ａ）、（ｂ）に示すように、段差部４を覆う平面覆い部１１および段鼻部３の前方側面３ａを覆う側面覆い部１８を有した段鼻本体１０と、平面覆い部１１の上面に取り付けられるカバー部材２０とを有した構成とされる。
【００１４】
平面覆い部１１は、上面に凹所１２を有し、凹所１２の後方に、化粧部材５の前方側面５ａと突き合わせるように配される後端部１３を有し、その後端部１３には上方に突出した凸部１５が形成されている。一方、カバー部材２０は、凹所１２に嵌合する嵌合部２１と、嵌合部２１の後方に延び、最尾端に化粧部材５側に向けて下り傾斜した軟質尾片部２３を有した尾端部２２とを有している。
【００１５】
このような保護材１は、図１（ｂ）に示すように、軟質尾片部２３が後端部１３を凸部１５と近接するように上方より覆い、軟質尾片部２３の開放端が化粧部材５側に突出するようにして設置される。
【００１６】
ついで、保護材１の詳細な構成について説明する。
【００１７】
この保護材１は、階段のリフォームなどにおいて、階段踏み板２の段鼻部３（前端部）に取り付けられる、段鼻本体１０とカバー部材２０との２部材よりなる保護部材である。保護材１を構成するこれら２部材はいずれも、階段の幅方向の全長に対して取り付けられる。なお、本実施形態の両部材はいずれも樹脂材よりなり、部材の長手方向（階段の幅方向）に沿って同形状をなしている。これら２部材は、たとえば押出成形にて形成されるようにすればよい。
【００１８】
保護材１は、図１（ａ）に示すように、後方に化粧部材５が取り付けられることで段差部４となる、踏み板２の前端部（段鼻部３）に取り付けられる。
【００１９】
保護材１の構成部材の１つである段鼻本体１０は、硬質の樹脂材料よりなり、平面覆い部１１と、側面覆い部１８と、裏面掛部１９とを備えている。平面覆い部１１と、側面覆い部１８と、裏面掛部１９とにより、踏み板２の前端部が嵌合する嵌合凹部１７が形成されている。
【００２０】
この段鼻本体１０は、嵌合凹部１７に踏み板２の段鼻部３が嵌合するように取り付けられる。このように段鼻本体１０が取り付けられると、平面覆い部１１の後端側面１３ａと、化粧部材５の前方側面５ａとが相互に接触するように突き合せられる。そして、平面覆い部１１は段差部４に密着し、側面覆い部１８は踏み板２の前方側面３ａに密着し、裏面掛部１９は踏み板２の裏面の前方部に密着する。つまり、段鼻本体１０は踏み板２の前端部の前方側面３ａと段差部４とを隙間なく覆い隠す。なお、平面覆い部１１と化粧部材５との間に隙間ができないように施工するために、化粧部材５は後付けすることが望ましい。
【００２１】
平面覆い部１１の上面の中央よりもやや後部寄りには、カバー部材２０を取り付けるための凹所１２が形成されている。また、この凹所１２よりも前方の上面には滑り止め・意匠用の凹溝部１６が形成されている。また、平面覆い部１１は、凹所１２の後方に、化粧部材５の前方側面５ａと当接する後端側面１３ａを有した後端部１３を備えている。さらに、この後端部１３の上面の最後端には上方に突出した凸部１５が形成されている。図１（ｂ）に示すように、凸部１５を除く後端部１３の上面は化粧部材５の上面とほぼ同じ高さ面となっているため、凸部１５は化粧部材５の上面よりも突出した状態となる。
【００２２】
このような段鼻本体１０は、踏み板２に対して、接着剤で固着されるようにしてもよいし、凹所１２においてねじや釘などの固定具（不図示）で固定されるようにしてもよいし、またはそれら両方で固定されるようにしてもよい。
【００２３】
一方、カバー部材２０は、硬質の樹脂材料、あるいは段鼻本体１０よりもやや軟質の樹脂材料により形成されている。カバー部材２０は、上面が平坦に形成された、段鼻本体１０の凹所１２に嵌合する嵌合部２１と、嵌合部２１と上面が面一となるように嵌合部２１の後方に連成された尾端部２２とを有している。
【００２４】
嵌合部本体２１ａの裏面側には、下方に突出し、間に凹溝２１ｃを有した凸条の２本脚が形成されている。これら２つの脚部２１ｂ、２１ｂが凹所１２内の前後の壁面１２ｂ、１２ｂに密着するように、凹所１２に嵌まり込んで段鼻本体１０に固定されるようになっている（図１（ａ）、図２（ｂ）参照）。このように嵌合部２１が凹所１２に嵌合すると、両方の脚部２１ｂ、２１ｂが凹所１２の内底面１２ａに当接した状態となる。
【００２５】
カバー部材２０の尾端部２２は、尾端部本体２２ａの最尾端側に、後方に向けて下り傾斜状に、断面視で尻尾のごとく延びた軟質尾片部２３を備えている。この軟質尾片部２３は、カバー部材２０の他の部位の構成材料よりも柔軟な軟質樹脂材料により形成されている。また、尾端部本体２２ａの裏面は平坦に形成されており、カバー部材２０を段鼻本体１０に取り付けると、尾端部本体２２ａの裏面は段鼻本体１０の後端部１３と密着した状態となる（図２（ｂ）参照）。
【００２６】
カバー部材２０は、このように軟質尾片部２３を除く部位と軟質尾片部２３の２種の材料よりなる。カバー部材２０は、たとえば樹脂２色成形などの成形方法により成形されるようにすればよい。
【００２７】
このカバー部材２０が、段鼻部３に固定された段鼻本体１０の凹所１２に嵌合した状態では、軟質尾片部２３は化粧部材５側に傾斜して垂れ下がるように延びている。このとき、軟質尾片部２３の裏面は、段鼻本体１０の最後端に形成された凸部１５の上端面とわずかな隙間Ｓを介して相対する。
【００２８】
このカバー部材２０は、段鼻本体１０に取り付けることで、嵌合部２１が凹所１２の内底面１２ａから下方に打ち込んだ固定具（不図示）の頭部を隠し、さらに尾端部２２が段鼻本体１０と化粧部材５との当接部位を上方より覆い隠す作用を有している。カバー部材２０は、色や模様を段鼻本体１０と異ならせることで意匠的な効果も発揮する。
【００２９】
また、カバー部材２０は、段鼻本体１０の上面に設けた前後の壁面１２ｂ、１２ｂを有した凹所１２に嵌合させる構成であるため、化粧部材５の取付位置によって凹所１２の前後寸法が変化するようなことは、当然にない。よって、成形ミスなどがない限り、カバー部材２０のがたつきは発生し得ない。
【００３０】
また軟質尾片部２３は、その緩やかな化粧部材５側への下り傾斜でもって、保護材１と化粧部材５との段差を吸収する作用がある。つまり、この軟質尾片部２３があるため、人は突っ掛かることなどなくスムーズに階段を上り下りすることができる。この軟質尾片部２３は、上述したように、平面覆い部１１と化粧部材５の突き合わせ部を覆い隠す美感保持効果も有している。かりに平面覆い部１１と化粧部材５との間に隙間ができたとしても、その隙間は軟質尾片部２３で覆い隠されるので、少なくとも美感上の問題はない。
【００３１】
さらに、軟質尾片部２３の下方には段鼻本体１０の凸部１５が隙間Ｓを介して配されているため、人の踏み込みにより軟質尾片部２３が沈み込み過ぎることを防止することができる。ようするに、人が軟質尾片部２３を踏み込むと軟質尾片部２３の前後方向の中央部が下方に撓もうとするが、凸部１５の上面が軟質尾片部２３の裏面に当接することによって、この撓みを適度な撓み量に食い止めることができる。その結果、軟質尾片部２３の早期の劣化、破損を防止することができる。
【００３２】
化粧部材５がたとえば６ｍｍ程度の薄板で形成されている場合には、それに合わせて保護材１も薄く形成されればよいが、保護材１は２部材で厚み方向に重なるため、カバー部材２０の厚みが上方に突出する構成となりやすい。このような場合でも、凸部１５により、段鼻本体１０の上面に形成されているため軟質尾片部２３の撓み過ぎを防止することができる。
【００３３】
また、凸部１５が後端部１３の最後端に設けられているため、凸部１５を、撓み量を少なくしたい軟質尾片部２３の中央部に当接させることができ、軟質尾片部２３の撓み防止として効果的である。さらに、凸部１５が後端部１３の最後端に設けられていれば、軟質尾片部２３の下り傾斜に応じて凸部１５の突出量を少なくすることができるため、省材料の面でも望ましい。なお、凸部１５を前方に設けてもよいが、前方に設ければ、軟質尾片部２３の前後方向の寸法を長くしなければならず、そうすれば軟質尾片部２３は変形しやすくなるため、破損防止の観点からは適切ではない。よって、凸部１５はより後端側に設けることが望ましい。
【００３４】
また、本実施形態ではカバー部材２０の嵌合部２１が２本の脚部２１ｂ、２１ｂを有して構成されているため、図１（ｂ）、図２（ｂ）に示したように、カバー部材２０が段鼻本体１０の凹所１２に嵌合することで凹所１２内に空所１２ｃができる。このような構成により、固定具（不図示）の頭部を収容する空間を形成することができ、カバー部材２０の肉抜き（省材料化）も実現でき、さらには、嵌合により形成された空所１２ｃによりカバー部材２０にクッション性を持たせることもできる。
【００３５】
なお、カバー部材２０と段鼻本体１０との嵌合は、本保護材１のような凸条の嵌合部２１と凹溝の凹所１２との嵌合によらず、複数の突起と、それに対応した複数の丸穴とによる嵌合であってもよいし、その他の嵌合構造によるものであってもよい。
【符号の説明】
【００３６】
１          踏み板用保護材（保護材）
２          階段踏み板（踏み板）
３          段鼻部
３ａ        前方側面
４          段差部
５          化粧部材
５ａ        前方側面
１０        段鼻本体
１１        平面覆い部
１２        凹所
１３        後端部
１５        凸部
１８        側面覆い部
２０        カバー部材
２１        嵌合部
２２        尾端部
２３        軟質尾片部
【図１】
0006369804.tif 000002
【図２】
0006369804.tif 000003